(57)【要約】【課題】快適な音声報知機能を有した空気調和機を提供すること。【解決手段】空気調和機の運転を設定するための操作部１２と、操作部１２の操作内容に対応する音声報知内容を記憶する記憶手段３３と、音声報知内容を出力する発音手段３７とを備え、操作部１２での操作時に、発音手段３７にて記憶手段３３で記憶された音声報知内容を第１の所定時間の間は報知するとともに、発音手段３７にて音声報知内容を報知開始後の第１の所定時間内に、操作部１２で再度操作されると、発音手段３７にて音声報知内容を報知することを停止する【選択図】図２
2008167151.tif 000002
【特許請求の範囲】
【請求項１】
少なくとも圧縮機、四方弁、室外熱交換器、減圧装置を有する室外機と、少なくとも室内熱交換器を有する室内機とで構成される空気調和機において、前記空気調和機の運転を設定するための操作部と、前記操作部の操作内容に対応する音声報知内容を記憶する記憶手段と、前記音声報知内容を出力する発音手段とを備え、前記操作部での操作時に、前記発音手段にて前記記憶手段で記憶された音声報知内容を第１の所定時間の間は報知するとともに、前記発音手段にて前記音声報知内容を報知開始後の第１の所定時間内に、前記操作部で再度操作されると、前記発音手段にて前記音声報知内容を報知することを停止することを特徴とする空気調和機。
【請求項２】
操作部での操作時に、発音手段にて音声報知内容を報知開始後、前記操作部での操作が再度実行されてから第２の所定時間は待機するとともに、前記第２の所定時間内に、前記操作部での操作が再度実行されなければ、最後の操作内容に対応する音声報知内容を、前記発音手段にて報知することを特徴とする請求項１に記載の空気調和機。
【発明の詳細な説明】
【技術分野】
【０００１】
本発明は、操作内容についての音声報知機能を有する空気調和機に関するものである。
【背景技術】
【０００２】
近年の高齢化社会に伴い、家庭用電気機器における操作性・視認性に対して、子供から高齢者まで使用者に関わらず、誰にでもわかりやすく、そして使いやすいユニバーサルデザインが重要視されている。
【０００３】
空気調和機においても、ユニバーサルデザインを考慮した空気調和機が提案されている。例えば、ユニバーサルデザインの１つとして、運転状況を音声にて報知する機能を有するものがある（例えば、特許文献１参照）。
【０００４】
特許文献１に記載の空気調和機は、操作部にて操作した内容を、室内機より音声にて報知することで、暗がりでの操作、もしくは視力が低下した人でも、室内機から出力される音声にて、設定内容を確認することができるものである。
【特許文献１】特開２００１−１２８２６４号公報
【発明の開示】
【発明が解決しようとする課題】
【０００５】
しかしながら、従来の空気調和機では、操作しているにもかかわらず、室内機から音声が繰り返し出力されてしまう。そのため、操作者によっては、音声出力に煩わしさや不快感を感じてしまい、快適な音声報知機能を有した空気調和機ではなかった。
【０００６】
また、操作した直後にすぐに室内機から音声が出力されてしまうと、連続して操作した場合には連続して音声が出力されてしまう。
【０００７】
本発明は、前記従来の課題を解決するもので、快適な音声報知機能を有した空気調和機を提供することを目的とする。
【課題を解決するための手段】
【０００８】
前記従来の課題を解決するために、本発明の空気調和機は、少なくとも圧縮機、四方弁、室外熱交換器、減圧装置を有する室外機と、少なくとも室内熱交換器を有する室内機とで構成される空気調和機において、前記空気調和機の運転を設定するための操作部と、前記操作部の操作内容に対応する音声報知内容を記憶する記憶手段と、前記音声報知内容を出力する発音手段とを備え、前記操作部での操作時に、前記発音手段にて前記記憶手段で記憶された音声報知内容を第１の所定時間の間は報知するとともに、前記発音手段にて前記音声報知内容を報知開始後の第１の所定時間内に、前記操作部で再度操作されると、前記発音手段にて前記音声報知内容を報知することを停止することにより、音声が報知されてから操作すると、音声の報知が停止されるので、不要な音声の報知がなくなり、使用者に煩わしさを感じさせることがなくなる。
【発明の効果】
【０００９】
本発明の空気調和機は、快適な音声報知機能を提供することができる。
【発明を実施するための最良の形態】
【００１０】
第１の発明の空気調和機は、少なくとも圧縮機、四方弁、室外熱交換器、減圧装置を有する室外機と、少なくとも室内熱交換器を有する室内機とで構成される空気調和機におい
て、前記空気調和機の運転を設定するための操作部と、前記操作部の操作内容に対応する音声報知内容を記憶する記憶手段と、前記音声報知内容を出力する発音手段とを備え、前記操作部での操作時に、前記発音手段にて前記記憶手段で記憶された音声報知内容を第１の所定時間の間は報知するとともに、前記発音手段にて前記音声報知内容を報知開始後の第１の所定時間内に、前記操作部で再度操作されると、前記発音手段にて前記音声報知内容を報知することを停止することにより、音声が報知されてから操作すると、音声の報知が停止されるので、不要な音声の報知がなくなり、使用者に煩わしさを感じさせることがなくなる。
【００１１】
第２の発明の空気調和機は、特に第１の発明において、操作部での操作時に、発音手段にて音声報知内容を報知開始後、前記操作部での操作が再度実行されてから第２の所定時間は待機するとともに、前記第２の所定時間内に、前記操作部での操作が再度実行されなければ、最後の操作内容に対応する音声報知内容を、前記発音手段にて報知することにより、最後の操作内容のみを、使用者に確実に伝えることができる。
【００１２】
以下、本発明の実施の形態について図面を参照しながら説明する。なお、この実施の形態によって本発明が限定されるものではない。
【００１３】
（実施の形態１）
図１は、本発明の第１の実施の形態における空気調和機の概略図である。図１において、室内には、空気調和を行う室内機１０を、室外には、外気と熱交換を行う室外機（図示せず）を配設し、室内機１０と室外機（図示せず）とが冷媒配管で連結されて空気調和機が構成されている。
【００１４】
また、操作部であるリモコン１２を用いて室内機１０に運転方法や温度設定などを指示する。一方、室内機１０には、リモコン１２の指示内容を受信する受信部３２や、音声報知内容を記憶する記憶部３３、音声報知内容を出力する発音手段であるスピーカ３７などを備えたマイクロコンピュータおよびその周辺回路で構成される制御装置３８が備えられている。
【００１５】
図２は、本発明の第１の実施の形態における空気調和機の制御装置の構成図である。図２において、制御装置３８は、リモコン１２の指示内容を受信する受信部３２と、受信した操作内容に対応する音声報知内容を記憶する記憶部（記憶手段）３３と、リモコン１２により操作された内容に応じて最適な音声報知内容を検索する検索部（検索手段）３４と、検索された音声報知内容を音声信号に変換する音声発生回路（音声発生手段）３５と、音声発生回路３５で生成された音声信号を実際の音声に変換する増幅回路（増幅手段）３６と、前記増幅回路３６にて増幅された音声を発音するスピーカ（発音手段）３７とで構成される。
【００１６】
以上のように構成された本実施の形態における空気調和機の動作および作用について図３を用いて説明する。図３は本発明の第１の実施の形態における音量切換操作時のフローチャートである。なお、本実施の形態については音量切換操作について説明するが、これに限定されることはなく、例えば、運転の切換などの操作についても同様のフローチャートにて対応できる。
【００１７】
図３において、まずリモコン１２で室内機１０に対して音量切換の指示を行う。具体的には、リモコン１２に配設されている音量切換ボタン（図示せず）を押下することによって音量切換操作の信号が受信部３２に送信される。
【００１８】
音量切換操作の信号を受信部３２が受信すると、記憶部３３から音量切換操作に適合す
る音声内容を、検索部３４で検索選択し、音声発生回路３５、増幅回路３６を通じて、スピーカ３７から、例えば「音量切り替え中です。音量ボタンで音量を選択してください。」との音声を出力する。
【００１９】
そして、上記音声の出力が開始されてから第１の所定時間Ｔ１（例えば、５秒）の間に、リモコン１２に配設されている音量変更ボタン（図示せず）で音量を変更した場合には、直ちに音声の出力が停止される。つまり、音量変更ボタンで使用者が音量を変更した場合には、音声を報知して使用者を誘導しなくても、使用者は音量の変更が可能であると判断し、不要な音声出力を無くして、使用者に不快感を感じさせない構成とすることができる。
【００２０】
しかしながら、上記音声の出力が開始されてから第１の所定時間Ｔ１の間に、音量が変更されない場合には、つまり使用者がリモコン１２を操作しないときには、第１の所定時間Ｔ１の間は音声の出力を継続させるが、第１の所定時間Ｔ１が経過すると、音声の出力を停止し、不要な音声出力を避ける。
【００２１】
そして、第１の操作（本実施の形態では、音量切換ボタンの操作）によって音声が出力されてから、第２の操作（本実施の形態では、音量変更ボタンの操作）を行い、第２の操作を行ってから第２の所定時間Ｔ２の間、無操作状態が継続すると、スピーカ３７から、例えば「音量‘大’にしました」との音声を出力し終了する。
【００２２】
また、第１の操作後、第１の所定時間Ｔ１が経過してから、第２の所定時間Ｔ２をカウントし、第２の所定時間Ｔ２の間は待機状態とし、第２の所定時間Ｔ２の間に第２の操作が行われない場合には、スピーカ３７から音声を出力することなしに終了する。
【００２３】
また、第１の操作後、第１の所定時間Ｔ１が経過してから、第２の所定時間Ｔ２をカウントし、第２の所定時間Ｔ２の間は待機状態とするが、第２の所定時間Ｔ２が経過する前に第２の操作が行われた場合には、第２の操作が行われてから改めて第２の所定時間Ｔ２をカウントし始め、第２の所定時間Ｔ２の待機状態の間に無操作状態が継続した場合には、スピーカ３７から音声を出力し終了する。
【００２４】
以上のように、使用者（操作者）の操作パターンを、ボタン操作の時間間隔により読み取ることで、最適な音声出力を実現し、不快感を与えることのない音声報知機能を有する空気調和機を提供することができる。
【産業上の利用可能性】
【００２５】
本発明は、空気調和機に限定されることなく、さまざまな家電製品の操作において快適に操作を行うことができる。
【図面の簡単な説明】
【００２６】
【図１】本発明の実施の形態１における空気調和機の概略図
【図２】同実施の形態における空気調和機の制御部の構成図
【図３】同実施の形態における音声報知のフローチャート
【符号の説明】
【００２７】
１０  室内機
１２  リモコン
３２  受信部
３３  記憶部
３４  検索部
３５  音声発生回路
３６  増幅回路
３７  スピーカ
３８  制御装置
【図１】
2008167151.tif 000003
【図２】
2008167151.tif 000004
【図３】
2008167151.tif 000005